(57)【特許請求の範囲】
【請求項１】
ディジタル・アナログ混在回路をデジタルシミュレーション用回路に変換するシミュレーション用回路変換装置において、
入力したディジタル・アナログ混在回路の回路データを、アナログ回路の種別に分類する回路データ分類手段と、
前記回路データ分類手段によって分類されるアナログ回路の種別毎に設定され、ディジタル回路シンボルの入力ピンと電源ネットあるいはグランドネットとの接続による抵抗回路をディジタル定数値としてモデル化する変換ルールを格納した回路変換ルールテーブルと、
前記回路変換ルールテーブルによる変換ルール照合により、前記回路データ分類手段によって分類された回路データの種別に対応する変換ルールを分類された回路データ毎に特定する変換ルール照合手段と、
前記回路データ分類手段によって分類された回路データを、前記変換ルール照合手段によって特定された変換ルールに従って、ディジタル回路シンボルの入力ピンと電源ネットあるいはグランドネットとの接続による抵抗回路をディジタル定数値としてモデル化する回路モデル構築手段と、
を有することを特徴とするシミュレーション用回路変換装置。
【請求項２】
ディジタル・アナログ混在回路をデジタルシミュレーション用回路に変換するシミュレーション用回路変換装置において、
入力したディジタル・アナログ混在回路の回路データを、アナログ回路の種別に分類する回路データ分類手段と、
前記回路データ分類手段によって分類されるアナログ回路の種別毎に設定され、オープンコレクタドット接続の抵抗のアナログシンボルをＡＮＤ論理ゲートに置換する変換ルールを格納した回路変換ルールテーブルと、
前記回路変換ルールテーブルによる変換ルール照合により、前記回路データ分類手段によって分類された回路データの種別に対応する変換ルールを分類された回路データ毎に特定する変換ルール照合手段と、
前記回路データ分類手段によって分類された回路データを、前記変換ルール照合手段によって特定された変換ルールに従って、オープンコレクタドット接続の抵抗のアナログシンボルをＡＮＤ論理ゲートに置換する回路モデル構築手段と、
を有することを特徴とするシミュレーション用回路変換装置。
【請求項３】
ディジタル・アナログ混在回路をデジタルシミュレーション用回路に変換するシミュレーション用回路変換装置において、
入力したディジタル・アナログ混在回路の回路データを、アナログ回路の種別に分類する回路データ分類手段と、
前記回路データ分類手段によって分類されるアナログ回路の種別毎に設定され、電源シンボル，グランドシンボルから電源ネット，グランドネットを探索し、電源回路，グランドネットを削除する変換ルールを格納した回路変換ルールテーブルと、
前記回路変換ルールテーブルによる変換ルール照合により、前記回路データ分類手段によって分類された回路データの種別に対応する変換ルールを分類された回路データ毎に特定する変換ルール照合手段と、
前記回路データ分類手段によって分類された回路データを、前記変換ルール照合手段によって特定された変換ルールに従って、電源シンボル，グランドシンボルから電源ネット，グランドネットを探索し、電源回路，グランドネットを削除してディジタルモデル変換する回路モデル構築手段と、
を有することを特徴とするシミュレーション用回路変換装置。
【請求項４】
ディジタル・アナログ混在回路をデジタルシミュレーション用回路に変換するシミュレーション用回路変換装置において、
入力したディジタル・アナログ混在回路の回路データを、アナログ回路の種別に分類する回路データ分類手段と、
前記回路データ分類手段によって分類されるアナログ回路の種別毎に設定され、ディジタル回路シンボルの信号の入／出力属性および外部端子の信号の入／出力属性をモデル化された回路に応じて最適化する属性設定に関する変換ルールを格納した回路変換ルールテーブルと、
前記回路変換ルールテーブルによる変換ルール照合により、前記回路データ分類手段によって分類された回路データの種別に対応する変換ルールを分類された回路データ毎に特定する変換ルール照合手段と、
前記回路データ分類手段によって分類された回路データを、前記変換ルール照合手段によって特定された変換ルールに従って、ディジタル回路シンボルの信号の入／出力属性及び外部端子の信号の入／出力属性をモデル化された回路に応じて最適化する回路モデル構築手段と、
を有することを特徴とするシミュレーション用回路変換装置。
【請求項５】
ディジタル・アナログ混在回路をデジタルシミュレーション用回路に変換するシミュレーション用回路変換装置において、
入力したディジタル・アナログ混在回路の回路データを、アナログ回路の種別に分類する回路データ分類手段と、
前記回路データ分類手段によって分類されるアナログ回路の種別毎に設定され、モデル化された回路で信号の流れが中断された場合には、外部端子を発生する変換ルールを格納した回路変換ルールテーブルと、
前記回路変換ルールテーブルによる変換ルール照合により、前記回路データ分類手段によって分類された回路データの種別に対応する変換ルールを分類された回路データ毎に特定する変換ルール照合手段と、
前記回路データ分類手段によって分類された回路データを、前記変換ルール照合手段によって特定された変換ルールに従って、外部端子を発生する回路モデル構築手段と、
を有することを特徴とするシミュレーション用回路変換装置。
【請求項６】
回路変換時に外部接続を指示することにより指定された場所に、外部端子を接続することを特徴とする請求項１乃至５のいずれか一項に記載されたシミュレーション用回路変換装置。
【請求項７】
回路データにおけるシンボルのユニーク名を個別に指定してモデル化を行えることを特徴とする請求項１乃至５のいずれか一項に記載されたシミュレーション用回路変換装置。
【発明の詳細な説明】
【０００１】
この発明は、シミュレーション用回路変換装置に関し、詳しくは、効率的な高速シミュレーションのために、大規模なディジタル・アナログ混在回路をディジタルシミュレーション用回路に変換するシミュレーション用回路変換装置に関するものである。
【０００２】
【従来の技術】
ＬＳＩの大規模化，高機能化のために、一つのＬＳＩにおいて、ディジタル回路とアナログ回路とが混在したディジタル・アナログ混在回路の需要は増加する傾向にある。このようなディジタル・アナログ混在回路を論理シミュレータによりシミュレーションする場合、ディジタル・アナログ混在回路を、使用する論理シミュレータの特性に応じた回路に書き換える必要がある。すなわち、ディジタルシミュレータの場合にはディジタルシミュレーション用回路に、また、アナログシミュレータの場合にはアナログシミュレーション用回路に、それぞれ書き換えなければならない。
【０００３】
図４８は、ＡＮＤ回路４１の出力とフリップフロップ（ＦＦ）４２の出力の計２ビットのディジタル入力値に応じて信号レベルのアナログ信号をＤ／Ａ変換器（ＤＡＣ）４３より取り出し、それを抵抗４４，増幅器４５，抵抗４６，４７およびコンデンサ４８よりなる回路部を通してＡ／Ｄ変換器（ＡＤＣ）４９に入力し、該Ａ／Ｄ変換器（ＡＤＣ）４９より入力信号レベルに応じた２ビットのディジタル出力を取り出し、１ビットはインバータ５０を介して外部へ出力し、他の１ビットはフリップフロップ（ＦＦ）４２へ印加する、フィードバック・ループを有するディジタル・アナログ混在回路（特開平４−７１０７２号公報参照）を示している。
【０００４】
図４８に示すような、ディジタル回路部分とアナログ回路部分とが混在するディジタル・アナログ混在回路をそのままディジタルシミュレータによりシミュレーションした場合には、Ｄ／Ａ変換器（ＤＡＣ）４３，抵抗４４，４６，４７，増幅器４５，コンデンサ４８およびＡ／Ｄ変換器（ＡＤＣ）４９よりなるアナログ回路部分がシミュレーションの負荷となって、すべての機能を短時間で、かつ、確実にシミュレーションすることが困難となる。その結果、高速シミュレーションの実行が阻害される。これは、アナログ回路部分が指数関数的な情報であって、ディジタル回路のような単純な２値情報とは異なり、処理する情報の種類が相違することに起因する。換言すると、ディジタルシミュレータではアナログ素子の双方向性を正確に取り扱うことができないことに起因する。
【０００５】
その結果、例えば、ディジタル・アナログ混在回路に関するデータをディジタルシミュレータに入力すると、アナログ回路部分が検証できずにエラーとして出力される虞れもあり、短時間、かつ、確実な高速シミュレーションの実行が大きく阻害される。特に大規模なディジタル・アナログ混在回路にあっては、そのような弊害が顕著なものとなる。
【０００６】
なお、論理ゲートの回路をアナログのトランジスタレベルで、逆に、アナログシミュレータにより回路シミュレーションすることも、同様にきわめて効率が悪く、回路全体を効率よくシミュレーションすることができなくなる。
【０００７】
このような理由から、従来は、ディジタル回路部分の検証にあっては専用のディジタルシミュレータで、また、アナログ回路部分の検証にあっては専用のアナログシミュレータで処理することにより、ディジタル回路部分とアナログ回路部分に対する高速シミュレーションをそれぞれ効率的に実現させるのが一般的である。
【０００８】
そこで、ディジタルシミュレータによるシミュレーションは、ディジタル・アナログ混在回路をディジタルシミュレーション用回路に書き換える必要性が生じる。
【０００９】
例えば、図４８に示したディジタル・アナログ混在回路の場合において、ＡＮＤ回路４１，フリップフロップ（ＦＦ）４２およびインバータ２０よりなるディジタル回路部分にあっては、例えば、図４９に示すようなディジタルシミュレーション用回路に書き換える。具体的には、図示の如く、Ｄ／Ａ変換器（ＤＡＣ）４３をＡＮＤ回路５１および５２よりなるダミー回路で記述し、また、Ａ／Ｄ変換器（ＡＤＣ）４９をインバータ５３〜５６よりなるダミー回路で記述するような書き換え作業が行われる。
【００１０】
なお、上記Ｄ／Ａ変換器（ＤＡＣ）４３，抵抗４４，４６，４７，増幅器４５，コンデンサ４８およびＡ／Ｄ変換器（ＡＤＣ）４９よりなるアナログ回路部分にあっては、例えば、図５０に示すようなアナログシミュレーション用回路に書き換える。ただし、実際には増幅器４５はトランジスタや抵抗よりなる回路レベルで記述される。
【００１１】
また、従来、このようにディジタル・アナログ混在回路をディジタルシミュレータによりシミュレーションする場合、ディジタル・アナログ混在回路のディジタルシミュレーション用回路への書き換えは、全て手作業により行われてきた。これは、従来にあっては、ディジタル・アナログ混在回路自体の規模がそれ程大きくなく、手作業によるディジタルシミュレーション用回路への書き換えで十分に対応することができたこと、また、製品の開発サイクルがそれ程短くなく、手作業による対応で、回路を確定するまでに行う複数回のシミュレーション処理のための時間的余裕が十分に確保できたことに起因している。
【００１２】
【発明が解決しようとする課題】
ディジタル・アナログ混在回路をディジタルシミュレータによりシミュレーションする場合には、ディジタル・アナログ混在回路を、使用する論理シミュレータの特性に応じた回路に全て手作業によって書き換えていたため、回路変更の度に多大な工数が必要になるという問題点があった。
【００１３】
この回路書き換え作業は、ディジタル・アナログ混在回路が大規模なものになればなるほど、煩雑なものとなり、また、手作業であるがゆえに、転記ミス等が発生しやすくなる。
【００１４】
さらに、製品の開発サイクルが極端に短くなった現在においては、手作業による対応では、回路を確定するまでに行う複数回の繰り返しシミュレーション処理での変換作業に多大の時間が必要になる。
【００１５】
この発明は、上述のような問題点を解決するためになされたものであり、大規模化するディジタル・アナログ混在回路の書き換えを回路変換技術により自動的に行い、ディジタル・アナログ混在回路をシミュレーションの特性に応じた回路にモデル化し、シミュレーションの処理性能を最大限に引き出すことを可能とするシミュレーション用回路変換装置を提供することを目的としている。
【００１６】
【課題を解決するための手段】
上述の目的を達成するために、請求項１に記載の発明は、ディジタル・アナログ混在回路をデジタルシミュレーション用回路に変換するシミュレーション用回路変換装置において、入力したディジタル・アナログ混在回路の回路データを、アナログ回路の種別に分類する回路データ分類手段と、前記回路データ分類手段によって分類されるアナログ回路の種別毎に設定され、ディジタル回路シンボルの入力ピンと電源ネットあるいはグランドネットとの接続による抵抗回路をディジタル定数値としてモデル化する変換ルールを格納した回路変換ルールテーブルと、前記回路変換ルールテーブルによる変換ルール照合により、前記回路データ分類手段によって分類された回路データの種別に対応する変換ルールを分類された回路データ毎に特定する変換ルール照合手段と、前記回路データ分類手段によって分類された回路データを、前記変換ルール照合手段によって特定された変換ルールに従って、ディジタル回路シンボルの入力ピンと電源ネットあるいはグランドネットとの接続による抵抗回路をディジタル定数値としてモデル化する回路モデル構築手段と、を有することを特徴とするシミュレーション用回路変換装置である。
【００２１】
請求項１に記載のシミュレーション用回路変換装置では、回路データ分類手段において、回路データ分類と入力したディジタル・アナログ混在回路の回路データを、ネット，回路シンボル，シンボルピン，外部端子等の回路属性の種別に分類し、分類された回路データの種別に対応する変換ルールを、変換ルール照合手段において回路変換ルールテーブルによる変換ルール照合により、分類された回路データ毎に特定し、分類された回路データを、回路モデル構築手段において、変換ルール照合手段にて特定された変換ルールに従って変換し、ディジタル・アナログ混在回路をディジタルシミュレーションに適した回路にモデル変換するに際し、特に、回路変換ルールテーブルの変換ルールによりディジタル回路シンボルの入力ピンと電源ネットあるいはグランドネットとの接続による抵抗回路をディジタル定数値（“１”あるいは“0”）としてモデル化する。
【００２４】
請求項２に記載の発明は、ディジタル・アナログ混在回路をデジタルシミュレーション用回路に変換するシミュレーション用回路変換装置において、入力したディジタル・アナログ混在回路の回路データを、アナログ回路の種別に分類する回路データ分類手段と、前記回路データ分類手段によって分類されるアナログ回路の種別毎に設定され、オープンコレクタドット接続の抵抗のアナログシンボルをＡＮＤ論理ゲートに置換する変換ルールを格納した回路変換ルールテーブルと、前記回路変換ルールテーブルによる変換ルール照合により、前記回路データ分類手段によって分類された回路データの種別に対応する変換ルールを分類された回路データ毎に特定する変換ルール照合手段と、前記回路データ分類手段によって分類された回路データを、前記変換ルール照合手段によって特定された変換ルールに従って、オープンコレクタドット接続の抵抗のアナログシンボルをＡＮＤ論理ゲートに置換する回路モデル構築手段と、を有することを特徴とするシミュレーション用回路変換装置である。
【００２５】
請求項２に記載のシミュレーション用回路変換装置では、回路データ分類手段において、回路データ分類と入力したディジタル・アナログ混在回路の回路データを、ネット，回路シンボル，シンボルピン，外部端子等の回路属性の種別に分類し、分類された回路データの種別に対応する変換ルールを、変換ルール照合手段において回路変換ルールテーブルによる変換ルール照合により、分類された回路データ毎に特定し、分類された回路データを、回路モデル構築手段において、変換ルール照合手段にて特定された変換ルールに従って変換し、ディジタル・アナログ混在回路をディジタルシミュレーションに適した回路にモデル変換するに際し、特に、回路変換ルールテーブルの変換ルールによりオープンコレクタドット接続の抵抗のアナログシンボルをＡＮＤ論理ゲートに置換する。
【００２６】
請求項３に記載の発明は、ディジタル・アナログ混在回路をデジタルシミュレーション用回路に変換するシミュレーション用回路変換装置において、入力したディジタル・アナログ混在回路の回路データを、アナログ回路の種別に分類する回路データ分類手段と、前記回路データ分類手段によって分類されるアナログ回路の種別毎に設定され、電源シンボル，グランドシンボルから電源ネット，グランドネットを探索し、電源回路，グランドネットを削除する変換ルールを格納した回路変換ルールテーブルと、前記回路変換ルールテーブルによる変換ルール照合により、前記回路データ分類手段によって分類された回路データの種別に対応する変換ルールを分類された回路データ毎に特定する変換ルール照合手段と、前記回路データ分類手段によって分類された回路データを、前記変換ルール照合手段によって特定された変換ルールに従って、電源シンボル，グランドシンボルから電源ネット，グランドネットを探索し、電源回路，グランドネットを削除してディジタルモデル変換する回路モデル構築手段と、を有することを特徴とするシミュレーション用回路変換装置である。
【００２７】
請求項３に記載のシミュレーション用回路変換装置では、回路データ分類手段において、回路データ分類と入力したディジタル・アナログ混在回路の回路データを、ネット，回路シンボル，シンボルピン，外部端子等の回路属性の種別に分類し、分類された回路データの種別に対応する変換ルールを、変換ルール照合手段において回路変換ルールテーブルによる変換ルール照合により、分類された回路データ毎に特定し、分類された回路データを、回路モデル構築手段において、変換ルール照合手段にて特定された変換ルールに従って変換し、ディジタル・アナログ混在回路をディジタルシミュレーションに適した回路にモデル変換するに際し、特に、回路変換ルールテーブルの変換ルールにより電源回路，グランドネットを削除してディジタルモデル変換する。
【００２８】
請求項４に記載の発明は、ディジタル・アナログ混在回路をデジタルシミュレーション用回路に変換するシミュレーション用回路変換装置において、入力したディジタル・アナログ混在回路の回路データを、アナログ回路の種別に分類する回路データ分類手段と、前記回路データ分類手段によって分類されるアナログ回路の種別毎に設定され、ディジタル回路シンボルの信号の入／出力属性および外部端子の信号の入／出力属性をモデル化された回路に応じて最適化する属性設定に関する変換ルールを格納した回路変換ルールテーブルと、前記回路変換ルールテーブルによる変換ルール照合により、前記回路データ分類手段によって分類された回路データの種別に対応する変換ルールを分類された回路データ毎に特定する変換ルール照合手段と、前記回路データ分類手段によって分類された回路データを、前記変換ルール照合手段によって特定された変換ルールに従って、ディジタル回路シンボルの信号の入／出力属性及び外部端子の信号の入／出力属性をモデル化された回路に応じて最適化する回路モデル構築手段と、を有することを特徴とするシミュレーション用回路変換装置である。
【００２９】
請求項４に記載のシミュレーション用回路変換装置では、回路データ分類手段において、回路データ分類と入力したディジタル・アナログ混在回路の回路データを、ネット，回路シンボル，シンボルピン，外部端子等の回路属性の種別に分類し、分類された回路データの種別に対応する変換ルールを、変換ルール照合手段において回路変換ルールテーブルによる変換ルール照合により、分類された回路データ毎に特定し、分類された回路データを、回路モデル構築手段において、変換ルール照合手段にて特定された変換ルールに従って変換し、ディジタル・アナログ混在回路をディジタルシミュレーションに適した回路にモデル変換するに際し、特に、回路変換ルールテーブルの変換ルールにより、ディジタル回路シンボルの信号の入／出力属性および外部端子の信号の入／出力属性をモデル化された回路に応じて最適化される。
【００３０】
請求項５に記載の発明は、ディジタル・アナログ混在回路をデジタルシミュレーション用回路に変換するシミュレーション用回路変換装置において、入力したディジタル・アナログ混在回路の回路データを、アナログ回路の種別に分類する回路データ分類手段と、前記回路データ分類手段によって分類されるアナログ回路の種別毎に設定され、モデル化された回路で信号の流れが中断された場合には、外部端子を発生する変換ルールを格納した回路変換ルールテーブルと、前記回路変換ルールテーブルによる変換ルール照合により、前記回路データ分類手段によって分類された回路データの種別に対応する変換ルールを分類された回路データ毎に特定する変換ルール照合手段と、前記回路データ分類手段によって分類された回路データを、前記変換ルール照合手段によって特定された変換ルールに従って、外部端子を発生する回路モデル構築手段と、を有することを特徴とするシミュレーション用回路変換装置である。
【００３１】
請求項５に記載のシミュレーション用回路変換装置では、回路データ分類手段において、回路データ分類と入力したディジタル・アナログ混在回路の回路データを、ネット，回路シンボル，シンボルピン，外部端子等の回路属性の種別に分類し、分類された回路データの種別に対応する変換ルールを、変換ルール照合手段において回路変換ルールテーブルによる変換ルール照合により、分類された回路データ毎に特定し、分類された回路データを、回路モデル構築手段において、変換ルール照合手段にて特定された変換ルールに従って変換し、ディジタル・アナログ混在回路をディジタルシミュレーションに適した回路にモデル変換するに際し、特に、回路変換ルールテーブルの変換ルールにより、モデル化された回路で信号の流れが中断された場合には、外部端子を発生し、外部からの信号のやりとりを可能にする。
【００３４】
請求項６に記載の発明は、回路変換時に外部接続を指示することにより指定された場所に、外部端子を接続することを特徴とする請求項１乃至５のいずれか一項に記載されたシミュレーション用回路変換装置である。
【００３５】
請求項６に記載のシミュレーション用回路変換装置では、回路変換時に外部接続を指示することにより、指定された場所に、外部端子を接続し、シミュレーション時の制御を可能にする。
【００３６】
請求項７に記載の発明は、回路データにおけるシンボルのユニーク名を個別に指定してモデル化を行えることを特徴とする請求項１乃至５のいずれか一項に記載されたシミュレーション用回路変換装置。
【００３７】
請求項７に記載のシミュレーション用回路変換装置では、回路データにおけるシンボルのユニーク名を個別に指定して削除、定数設定等のモデル化を各シンボル毎に任意に行える。
【００６６】
【発明の実施の形態】
以下に添付の図を参照してこの発明に係るシミュレーション用回路変換方法および装置、および、それらを用いたシミュレータ、並びにそのプログラムを記録した機械読み取り可能な記録媒体の実施の形態を詳細に説明する。
【００６７】
図１はこの発明によるディジタル・アナログ混在回路のシミュレーション用回路変換装置を含むＥＤＡ（Electronic Design Automation）システムの一つの実施の形態を示している。ＥＤＡシステムは、回路エントリツール１０と、シミュレーション用回路変換装置（モデル変換処理部）２０と、高速ディジタルシミュレータ３０とを含んでいる。
【００６８】
回路エントリツール１０は、対話方式の一般的な回路設計ツールであり、ディスプレイ１１による画面表示のもとに、シンボルライブラリ１２を使用してディジタル・アナログ混在の電気回路を対話方式で作成し、回路データベース作成部１３による回路データベース作成処理により、ＶＨＤＬ（VHSIC(Very High speed IC) Hardware Description Language)等の記述によるディジタル・アナログ混在の回路データを回路データベース１４に格納する。
【００６９】
シミュレーション用回路変換装置（モデル変換処理部）２０は、回路データ分類手段２１と、回路変換ルールテーブル２２と、変換ルール照合手段２３と、回路モデル構築手段２４とを有している。
【００７０】
回路データ分類手段２１は、回路データ分類工程を実行するものであり、回路エントリツール１０の回路データベース１４により入力したディジタル・アナログ混在回路の回路データを、回路属性、例えば、ネット，回路シンボル，シンボルピン，外部端子等の種別に分類する。
【００７１】
回路データ分類手段２１によるデータ分類構造の一例が図２に示されている。このデータ分類構造では、回路データベース１４の回路データ（回路接続情報）が、ネット，回路シンボル，シンボルピン，外部端子に大分類される。このうち、ネット情報は、アナログ，ディジタル，電源，グランド等に細分類される。回路シンボル情報は、ディジタル，アナログに細分類され、ディジタル回路シンボルは、さらに論理機能（ＡＮＤ／ＯＲ／ＦＦ等）毎に細分類される。アナログシンボルは、アナログ機能（トランジスタ，ダイオード，抵抗，コンデンサ等）毎に細分類される。また、シンボルピンと外部端子は、ピン情報として格納される。
【００７２】
また、回路データベース１４には、全てのネット，回路シンボル（ブロック），ピンに対して付与されたユニーク名も格納される。
【００７３】
回路変換ルールテーブル２２は、回路データ分類手段２１によって分類される種別毎に設定された変換ルールを格納している。この変換ルールは、上述のデータ分類構造に従って、下記表１に示されているように、抵抗，コンデンサ，コイル，フィルタ，ネット，外部端子，アナログ部品等に対して、接続先と定格値（抵抗，コンデンサ等の場合）で分類して、変換処理する指示内容を定義している。
【００７４】
【表１】
0003885274.tif 000002
【００７５】
つぎに図３〜図１５を参照して各変換ルール例（１）〜（１６）を説明する。なお、各図において、（ａ）と（ｂ）とがある場合、（ａ）は回路モデル変換前のディジタル・アナログ混在回路を、（ｂ）はモデル変換後のディジタルモデル（ＶＨＤＬ記述）をそれぞれ示している。
【００７６】
（１）電極ネットとディジタル回路シンボルＤＳの入力ピン接続の抵抗Ｒ（pull-up 抵抗）の場合には、抵抗Ｒを削除して入力ピンＩＮにディジタル的に論理値（ディジタル定数値）“１”あるいは“０”を設定する（図３（ａ），（ｂ）参照）。
【００７７】
（２）グランドネットとディジタル回路シンボルＤＳの入力ピン接続の抵抗（pull-up 抵抗）の場合は、抵抗Ｒを削除して入力ピンＩＮにディジタル的に論理値“０”あるいは“１”を設定する（図４（ａ），（ｂ）参照）。
【００７８】
（３）低抵抗Ｒの場合には、ディジタルモデル的に抵抗が無いものとして、スルーゲートＳＧを挿入する（図５（ａ），（ｂ）参照）。
【００７９】
（４）高抵抗Ｒの場合には、ディジタルモデル的に抵抗を削除して両端のネットをオープンにする（図６（ａ），（ｂ）参照）。
【００８０】
（５）コンデンサＣが電源とグランド間で接続される場合、すなわち電源のバイパスコンデンサの場合には、ディジタルモデル的に不要なので、コンデンサＣを削除して両端のネットをオープンにする（図７（ａ），（ｂ）参照）。
【００８１】
（６）トランジスタ，ダイオード，クリスタル発振器，スピーカ，リレー，スイッチ，オペアンプ等のアナログシンボルおよびそれらによるアナログ回路部は、ディジタルモデル的に不要なので、アナログシンボル、アナログ回路部を削除して、両端のネットをオープンにする（図８参照）。
【００８２】
（７）“ＦＬｘｘ”等のフィルタは、ディジタルモデル的に不要なので、フィルタシンボルを削除してディレー制御ゲートＤＧを挿入する（図９（ａ），（ｂ）参照）。
【００８３】
（８）“ＤＬｘｘ”等のディレー回路の前後のシンボルがアナログシンボルの場合にはディレー回路を削除し、ディジタル回路シンボルの場合には、ディレー制御ゲートＤＧを挿入する（図１０（ａ），（ｂ）参照）。
【００８４】
（９）ディジタル回路シンボルＤＳ・ＡとＤＳ・Ｂのオープンコレクタドット接続で抵抗Ｒを接続した箇所は、抵抗Ｒを削除して論理的なＡＮＤ回路に置換する（図１１（ａ），（ｂ）参照）。
【００８５】
（１０）電源シンボルから電源ネットを探索し、電源回路を削除する。
【００８６】
（１１）グランドシンボルからグランドネットを探索し、グランドネットを削除する。
【００８７】
（１２）モデル化された回路により、ディジタル回路シンボルＤＳの信号の入／出力属性（ＩＮ／ＯＵＴ属性）に矛盾が生じた場合には、そのシンボルピンの属性を最適化する（図１２（ａ），（ｂ）参照）。
【００８８】
（１３）回路変更により外部端子に接続した回路を削除したことで、外部端子ＯＴとシンボルピンの属性が同一になった場合には、外部端子ＯＴの属性を入出力（ＩＮＯＵＴ）に変更する（図１３（ａ），（ｂ）参照）。
【００８９】
（１４）モデル化された回路で、ディジタル回路シンボルＤＳによるドライバとレシーバの組み合わせが成立せず、信号の流れが中断された場合には、外部からの制御信号のやりとりを可能にするために、外部端子ＯＴを発生させる（図１４（ａ），（ｂ）参照）。
【００９０】
（１５）アナログ信号的な特性を保障するために設けられた複数の外部端子ＯＴは、ディジタル的に不要なので、削除する（図１５（ａ），（ｂ）参照）。
【００９１】
（１６）モデル化処理において、信号の入力、出力を持たず完全に浮遊した回路は削除する。
【００９２】
回路変換ルールテーブル２２の変換ルールは、ユーザサイドで、変更、追加することもできる。これにより、各ユーザ独自の特殊な条件にも即時対応でき、設計の自由度が向上する。
【００９３】
変換ルール照合手段２３は、変換ルール照合工程を実行するものであり、回路変換ルールテーブル２２による変換ルール照合により、回路データ分類手段２１によって分類された回路データの種別に対応する変換ルールを、分類された回路データ毎に特定する。
【００９４】
回路モデル構築手段２４は、回路モデル構築工程を実行するものであり、回路データ分類手段２１によって分類された回路データを、変換ルール照合手段２３によって特定された変換ルール（１）〜（１６）の何れかに従って変換し、回路エントリツール１０より入力したディジタル・アナログ混在回路をディジタルシミュレーションに適した回路にモデル変換し、ディジタル回路モデルに変換された回路データを回路データベース２５に格納する。
【００９５】
回路モデル構築手段２４は、特定の端子の状態値を外部から制御させたい場合に、図１６（ａ），（ｂ）に示されているように、分類構造によるディジタル回路シンボルピンを外部端子ＯＴに引き出す指示を指定することにより、指定箇所に外部端子ＯＴを付与し、シミュレーション時の制御を外部から可能とさせる。また、全く特殊な場合などは、個別にシンボルのユニーク名を指定し、それの削除、定数設定等のモデル化を行う。
【００９６】
高速ディジタルシミュレータ３０は、論理的な検証を行う一般的なシミュレータであり、制御データファィル３１の制御データと回路データベース２５に格納されている回路データ（ディジタル回路モデルに変換された回路データ）を読み込み、シミュレーション結果をディスプレイ３２に表示する。
【００９７】
つぎに、上述の回路モデル構築手段２４が、分類された回路を変換ルール（１）〜（１６）に従ってディジタルシミュレーションに適した回路にモデル変換する具体例を図１７〜図４３を参照して説明する。なお、図において、矢印部分がモデル変換後における変更部分である。
【００９８】
まず、回路エントリツール１０により、ディスプレイ１１による画面表示のもとに、シンボルライブラリ１２を用いて、図１７に示すディジタル・アナログ混在回路を対話方式で作成し、回路データベース作成部１３による回路データベース作成処理によって、ＶＨＤＬ等の記述による、図１７に示したディジタル・アナログ混在回路に係る回路データを回路データベース１４に格納する。
【００９９】
つぎに、シミュレーション用回路変換装置（モデル変換処理部）２０における回路データ分類手段２１が、回路エントリツール１０の回路データベース１４から、その中に格納されている、図１７に示したディジタル・アナログ混在回路に係る回路データを入力し、該入力したディジタル・アナログ混在回路の回路データを、その回路属性から回路シンボルに分類する（図２参照）。さらに、回路シンボルに大分類された回路データは、アナログに細分類され、該アナログシンボルは、アナログ機能毎に、すなわち、ここでは“抵抗”に細分類される。
【０１００】
回路変換ルールテーブル２２には、回路データ分類手段２１によって分類された種別毎に設定される変換ルール（表１参照）が格納されている。ここで、図１７に示されたディジタル回路シンボルＤＳの入力ピンと電源接続の抵抗回路（抵抗Ｒ）は、変換ルール（１）（図３参照）により、ディジタル定数値“１”としてモデル化されることになる。
【０１０１】
その後、変換ルール照合手段２３が、回路変換ルールテーブル２２による変換ルール照合により、回路データ分類手段２１によって分類された回路データの種別に対応する変換ルール（１）を、分類された回路データ毎に特定する。
【０１０２】
つぎに、回路モデル構築手段２４が、回路データ分類手段２１によって分類された回路データを、変換ルール照合手段２３によって特定された変換ルール（１）に従って変換し、回路エントリツール１０より入力したディジタル・アナログ混在回路（図１７参照）をディジタルシミュレーションに適した回路にモデル変換し、ディジタル回路モデルに変換された回路データ（図１８参照）を回路データベース２５に格納する。
【０１０３】
つぎに、高速ディジタルシミュレータ３０が、制御データファィル３１の制御データと回路データベース２５に格納されている回路データ（図１８参照）を読み込み、シミュレーション結果をディスプレイ３２に表示するものである。
【０１０４】
以下、図１９〜図４３の変換例についても同様の手順によりモデル変換処理が実行されるので、以下、どのような変換ルールにしたがって、どのような回路にモデル変換されるのかについてのみ具体的に説明する。
【０１０５】
図１９，２０に示されているように、ディジタル回路シンボルＤＳの入力ピンとグランド接続の抵抗回路（抵抗Ｒ）は、変換ルール（２）により、ディジタル定数値“０”としてモデル化される。
【０１０６】
図２１に示されているように、低抵抗のアナログシンボル（抵抗Ｒ）は、変換ルール（３）により、スルーゲート接続によるディジタル回路としてモデル化される。
【０１０７】
図２２に示されているように、高抵抗のアナログシンボル（抵抗Ｒ）は、変換ルール（４）により、削除によってディジタル回路としてモデル化される。
【０１０８】
図２３に示されているように、電源のバイパスコンデンサＣは、変換ルール（５）により、削除によってディジタル回路としてモデル化される。
【０１０９】
図２４，２５に示されているように、トランジスタＱ，ダイオードＤによるアナログ回路は、変換ルール（６）により、スルーゲート接続あるいは削除によってディジタル回路としてモデル化される。
【０１１０】
図２６に示されているように、フィルタ回路“ＦＬ１Ｊ”は、変換ルール（７）により、スルーゲート接続によってディジタル回路としてモデル化される。なお、必要に応じてディレー制御ゲートが挿入されてもよい。
【０１１１】
図２７，２８に示されているように、ディレー回路“ＤＬ１Ｈ”は、変換ルール（８）により、スルーゲート接続によってディジタル回路としてモデル化される。なお、この場合も、必要に応じてディレー制御ゲートが挿入されてもよい。
【０１１２】
図２９，３０に示されているように、オープンコレクタドット接続の抵抗Ｒは、変換ルール（９）により、ＡＮＤ回路“＆”に置換され、ディジタル回路としてモデル化される。
【０１１３】
図３１に示されているように、電源ネット（電源回路）は、変換ルール（１０）により、電源シンボルから電源ネットを探索することで、削除される。
【０１１４】
図３２に示されているように、グランドネットは、変換ルール（１１）により、グランドシンボルからグランドネットを探索することで、削除される。
【０１１５】
図３３，３４に示されているように、モデル化により、ディジタル回路シンボルＤＳの信号の入／出力属性に矛盾が生じた場合には、そのシンボルピンの属性は、変換ルール（１２）により、モデル化された回路に応じて最適化される。
【０１１６】
図３５，３６に示されているように、回路変更により外部端子に接続した回路を削除したことで、外部端子ＯＴとシンボルピンの属性が同一になった場合には、変換ルール（１３）により、外部端子ＯＴの属性は、モデル化された回路に応じて最適化される。
【０１１７】
図３７，３８に示されているように、モデル化された回路で、信号の流れが中断された場合には、変換ルール（１４）により、外部からの制御信号のやりとりを可能にするための外部端子ＯＴが付与される。
【０１１８】
図３９，４０に示されているように、ディジタル的に不要な外部端子ＯＴは、変換ルール（１５）により、自動削除される。
【０１１９】
図４１〜４３に示されているように、モデル化処理（図４１）→（図４２）により機能的に浮遊する状態になった回路“ＳＬＳ１４”は、変換ルール（１６）により、自動削除される（図４３参照）。
【０１２０】
上述のような変換ルールに従ったモデル化処理により、ディジタル・アナログ混在回路がディジタルシミュレーションの特性に応じた回路に自動的にモデル化され、ディジタルシミュレーションの処理性能を最大限に引き出すことが可能になる。この結果、解析効率が飛躍的に向上し、情報処理装置の開発段階で、繰り返し行われるシミュレーションと論理変更の作業効率が向上し、論理設計の効率も向上する。
【０１２１】
また、回路モデル構築手段２４では、図４４，４５に例示されているように、回路変換時に、ディジタル回路シンボルＤＳのシンボルピンを外部端子ＯＴへ引き出す指示を指定することにより、指定箇所に外部端子ＯＴが付与される。これにより特定の端子の状態値を外部から制御することが可能になり、所望する状態でのシミュレーションが行われるようになる。
【０１２２】
また、回路モデル構築手段２４では、変換ルールによる一括自動変換以外に、図４６，４７に例示されているように、ユーザがシンボルのユニーク名“ＳＡＳ００”を指定してそれを個別に削除することもできる。
【０１２３】
以上のように、本実施の形態に係るディジタル・アナログ混在回路のシミュレーション用回路変換方法および装置によりモデル化されたディジタル部分については、そのまま、ディジタルシミュレータによりディジタル回路部分のシミュレーションが実行され、そのシミュレーション結果が得られる。
【０１２４】
また、ディジタル・アナログ混在回路のアナログ部分については、一般的に、アナログ回路専用のアナログシミュレータに入力するために、アナログシミュレーション用回路に書き換えられ、その後、アナログシミュレータによりアナログ回路部分のシミュレーションが実行され、そのシミュレーション結果が得られる。
【０１２５】
上記各シミュレータから得られたそれぞれのシミュレーション結果に基づいてディジタル・アナログ混在回路におけるディジタル回路部分とアナログ回路部分の評価を別々に行い、そのディジタル回路部分とアナログ回路部分の個々の評価に基づき、シミュレーションの対象となったディジタル・アナログ混在回路に対する各種評価を総合的に判断するものである。
【０１２８】
【発明の効果】
以上の説明から理解される如く、請求項１に記載のシミュレーション用回路変換装置によれば、変換ルールに従ってディジタル・アナログ混在回路をディジタルシミュレーションに適した回路にモデル変換するから、モデル化処理を自動化でき、ディジタルシミュレーションの処理性能を最大限に引き出すことが可能になる。この結果、解析効率が飛躍的に向上し、情報処理装置の開発段階で、繰り返し行われるシミュレーションと論理変更の作業効率が向上し、論理設計の効率も向上する。更に、ディジタル回路シンボルの入力ピンと電源ネットあるいはグランドネットとの接続による抵抗回路をディジタル定数値としてモデル化するから、ディジタル・アナログ混在回路に、シンボルの入力ピンと電源ネットあるいはグランドネットとの接続による抵抗回路が存在していても、ディジタルシミュレーションに適したモデル化回路が得られる。
【０１３０】
請求項２に記載のシミュレーション用回路変換装置によれば、変換ルールに従ってディジタル・アナログ混在回路をディジタルシミュレーションに適した回路にモデル変換するから、モデル化処理を自動化でき、ディジタルシミュレーションの処理性能を最大限に引き出すことが可能になる。この結果、解析効率が飛躍的に向上し、情報処理装置の開発段階で、繰り返し行われるシミュレーションと論理変更の作業効率が向上し、論理設計の効率も向上する。更に、オープンコレクタドット接続の抵抗のアナログシンボルをＡＮＤ論理ゲートに置換するから、ディジタル・アナログ混在回路に、オープンコレクタドット接続の抵抗のアナログシンボルが存在していても、ディジタルシミュレーションに適したモデル化回路が得られる。
【０１３１】
請求項３に記載のシミュレーション用回路変換装置によれば、変換ルールに従ってディジタル・アナログ混在回路をディジタルシミュレーションに適した回路にモデル変換するから、モデル化処理を自動化でき、ディジタルシミュレーションの処理性能を最大限に引き出すことが可能になる。この結果、解析効率が飛躍的に向上し、情報処理装置の開発段階で、繰り返し行われるシミュレーションと論理変更の作業効率が向上し、論理設計の効率も向上する。更に電源回路，グランドネットを削除してディジタルモデル変換するから、ディジタル・アナログ混在回路に、電源回路、グランドネットが存在していても、ディジタルシミュレーションに適したモデル化回路が得られる。
【０１３２】
請求項４に記載のシミュレーション用回路変換装置によれば、変換ルールに従ってディジタル・アナログ混在回路をディジタルシミュレーションに適した回路にモデル変換するから、モデル化処理を自動化でき、ディジタルシミュレーションの処理性能を最大限に引き出すことが可能になる。この結果、解析効率が飛躍的に向上し、情報処理装置の開発段階で、繰り返し行われるシミュレーションと論理変更の作業効率が向上し、論理設計の効率も向上する。更にディジタル回路シンボルの信号の入／出力属性および外部端子の入／出力属性をモデル化された回路に応じて最適化するから、モデル化によってディジタル回路シンボルの信号の入／出力属性に矛盾が生じても、それが最適化され、ディジタルシミュレーションに適したモデル化回路が得られる。
【０１３３】
請求項５に記載のシミュレーション用回路変換装置によれば、変換ルールに従ってディジタル・アナログ混在回路をディジタルシミュレーションに適した回路にモデル変換するから、モデル化処理を自動化でき、ディジタルシミュレーションの処理性能を最大限に引き出すことが可能になる。この結果、解析効率が飛躍的に向上し、情報処理装置の開発段階で、繰り返し行われるシミュレーションと論理変更の作業効率が向上し、論理設計の効率も向上する。更にモデル化された回路で信号の流れが中断されても、外部端子の発生により、外部からの信号のやりとりが可能になり、ディジタルシミュレーションに適したモデル化回路が得られる。
【０１３５】
請求項６に記載のシミュレーション用回路変換装置によれば、回路変換時に外部端子を指示することにより、指定された場所に、外部端子を接続するから、シミュレーション時の制御が可能になり、所望する状態でのシミュレーションが行われるようになる。
【０１３６】
請求項７に記載のシミュレーション用回路変換装置によれば、変換ルールにより一括自動変換以外に、回路データにおけるシンボルのユニーク名を個別に指定して削除、定数設定等のモデル化を各シンボル毎に任意に行えるから、ディジタルシミュレーションに適したユーザ所望のモデル化回路が得られる。
【図面の簡単な説明】
【図１】この発明によるシミュレーション用回路変換装置を含むＥＤＡシステムの一つの実施の形態を示すブロック線図である。
【図２】この発明によるシミュレーション用回路変換方法および装置で使用されるデータ分類構造の一例を示す説明図である。
【図３】（ａ），（ｂ）は、この発明によるシミュレーション用回路変換方法および装置で使用される変換ルール（１）による変換例を示す回路図である。
【図４】（ａ），（ｂ）は、この発明によるシミュレーション用回路変換方法および装置で使用される変換ルール（２）による変換例を示す回路図である。
【図５】（ａ），（ｂ）は、この発明によるシミュレーション用回路変換方法および装置で使用される変換ルール（３）による変換例を示す回路図である。
【図６】（ａ），（ｂ）は、この発明によるシミュレーション用回路変換方法および装置で使用される変換ルール（４）による変換例を示す回路図である。
【図７】（ａ），（ｂ）は、この発明によるシミュレーション用回路変換方法および装置で使用される変換ルール（５）による変換例を示す回路図である。
【図８】この発明によるシミュレーション用回路変換方法および装置で使用される変換ルール（６）による変換例を示す回路図である。
【図９】（ａ），（ｂ）は、この発明によるシミュレーション用回路変換方法および装置で使用される変換ルール（７）による変換例を示す回路図である。
【図１０】  （ａ），（ｂ）は、この発明によるシミュレーション用回路変換方法および装置で使用される変換ルール（８）による変換例を示す回路図である。
【図１１】（ａ），（ｂ）は、この発明によるシミュレーション用回路変換方法および装置で使用される変換ルール（９）による変換例を示す回路図である。
【図１２】（ａ），（ｂ）は、この発明によるシミュレーション用回路変換方法および装置で使用される変換ルール（１２）による変換例を示す回路図である。
【図１３】（ａ），（ｂ）は、この発明によるシミュレーション用回路変換方法および装置で使用される変換ルール（１３）による変換例を示す回路図である。
【図１４】（ａ），（ｂ）は、この発明によるシミュレーション用回路変換方法および装置で使用される変換ルール（１４）による変換例を示す回路図である。
【図１５】（ａ），（ｂ）は、この発明によるシミュレーション用回路変換方法および装置で使用される変換ルール（１５）による変換例を示す回路図である。
【図１６】（ａ），（ｂ）は、この発明によるシミュレーション用回路変換方法および装置における外部端子付与例を示す回路図である。
【図１７】この発明によるシミュレーション用回路変換方法および装置で使用される変換ルール（１）によるモデル変換前の具体例を示す回路図である。
【図１８】この発明によるシミュレーション用回路変換方法および装置で使用される変換ルール（１）によるモデル変換後の具体例を示す回路図である。
【図１９】この発明によるシミュレーション用回路変換方法および装置で使用される変換ルール（２）によるモデル変換前の具体例を示す回路図である。
【図２０】この発明によるシミュレーション用回路変換方法および装置で使用される変換ルール（２）によるモデル変換後の具体例を示す回路図である。
【図２１】（ａ），（ｂ）は、この発明によるシミュレーション用回路変換方法および装置で使用される変換ルール（３）によるモデル変換の具体例を示す回路図である。
【図２２】（ａ），（ｂ）は、この発明によるシミュレーション用回路変換方法および装置で使用される変換ルール（４）によるモデル変換の具体例を示す回路図である。
【図２３】（ａ），（ｂ）は、この発明によるシミュレーション用回路変換方法および装置で使用される変換ルール（５）によるモデル変換の具体例を示す回路図である。
【図２４】この発明によるシミュレーション用回路変換方法および装置で使用される変換ルール（６）によるモデル変換前の具体例を示す回路図である。
【図２５】この発明によるシミュレーション用回路変換方法および装置で使用される変換ルール（６）によるモデル変換後の具体例を示す回路図である。
【図２６】（ａ），（ｂ）は、この発明によるシミュレーション用回路変換方法および装置で使用される変換ルール（７）によるモデル変換の具体例を示す回路図である。
【図２７】この発明によるシミュレーション用回路変換方法および装置で使用される変換ルール（８）によるモデル変換前の具体例を示す回路図である。
【図２８】この発明によるシミュレーション用回路変換方法および装置で使用される変換ルール（８）によるモデル変換後の具体例を示す回路図である。
【図２９】この発明によるシミュレーション用回路変換方法および装置で使用される変換ルール（９）によるモデル変換前の具体例を示す回路図である。
【図３０】この発明によるシミュレーション用回路変換方法および装置で使用される変換ルール（９）によるモデル変換後の具体例を示す回路図である。
【図３１】（ａ），（ｂ）は、この発明によるシミュレーション用回路変換方法および装置で使用される変換ルール（１０）によるモデル変換の具体例を示す回路図である。
【図３２】（ａ），（ｂ）は、この発明によるシミュレーション用回路変換方法および装置で使用される変換ルール（１１）によるモデル変換の具体例を示す回路図である。
【図３３】この発明によるシミュレーション用回路変換方法および装置で使用される変換ルール（１２）によるモデル変換前の具体例を示す回路図である。
【図３４】この発明によるシミュレーション用回路変換方法および装置で使用される変換ルール（１２）によるモデル変換後の具体例を示す回路図である。
【図３５】この発明によるシミュレーション用回路変換方法および装置で使用される変換ルール（１３）によるモデル変換前の具体例を示す回路図である。
【図３６】この発明によるシミュレーション用回路変換方法および装置で使用される変換ルール（１３）によるモデル変換後の具体例を示す回路図である。
【図３７】この発明によるシミュレーション用回路変換方法および装置で使用される変換ルール（１４）によるモデル変換前の具体例を示す回路図である。
【図３８】この発明によるシミュレーション用回路変換方法および装置で使用される変換ルール（１４）によるモデル変換後の具体例を示す回路図である。
【図３９】この発明によるシミュレーション用回路変換方法および装置で使用される変換ルール（１５）によるモデル変換前の具体例を示す回路図である。
【図４０】この発明によるシミュレーション用回路変換方法および装置で使用される変換ルール（１５）によるモデル変換後の具体例を示す回路図である。
【図４１】この発明によるシミュレーション用回路変換方法および装置で使用される変換ルール（１６）によるモデル変換前の具体例を示す回路図である。
【図４２】この発明によるシミュレーション用回路変換方法および装置で使用される変換ルール（１６）によるモデル変換後の具体例を示す回路図である。
【図４３】この発明によるシミュレーション用回路変換方法および装置で使用される変換ルール（１６）による、さらなるモデル変換後の具体例を示す回路図である。
【図４４】この発明によるシミュレーション用回路変換方法および装置における外部端子付与前の具体例を示す回路図である。
【図４５】この発明によるシミュレーション用回路変換方法および装置における外部端子付与後の具体例を示す回路図である。
【図４６】この発明によるシミュレーション用回路変換方法および装置におけるユニーク名指定によるモデル化前の具体例を示す回路図である。
【図４７】この発明によるシミュレーション用回路変換方法および装置におけるユニーク名指定によるモデル化後の具体例を示す回路図である。
【図４８】ディジタル・アナログ混在回路の一例を示す回路図である。
【図４９】図４８に示したディジタル・アナログ混在回路をディジタルシミュレーション用回路に書き換えた場合の一例を示す回路図である。
【図５０】図４８に示したディジタル・アナログ混在回路をアナログシミュレーション用回路に書き換えた場合の一例を示す回路図である。
【符号の説明】
１０  回路エントリツール
１１  ディスプレイ
１２  シンボルライブラリ
１３  回路データベース作成部
１４  回路データベース
２０  シミュレーション用回路変換装置（モデル変換処理部）
２１  回路データ分類手段
２２  回路変換ルールテーブル
２３  変換ルール照合手段
２４  回路モデル構築手段
２５  回路データベース
３０  高速ディジタルシミュレータ
３１  制御データファイル
３２  ディスプレイ
【図１】
0003885274.tif 000003
【図２】
0003885274.tif 000004
【図３】
0003885274.tif 000005
【図４】
0003885274.tif 000006
【図５】
0003885274.tif 000007
【図６】
0003885274.tif 000008
【図７】
0003885274.tif 000009
【図８】
0003885274.tif 000010
【図９】
0003885274.tif 000011
【図１０】
0003885274.tif 000012
【図１１】
0003885274.tif 000013
【図１２】
0003885274.tif 000014
【図１３】
0003885274.tif 000015
【図１４】
0003885274.tif 000016
【図１５】
0003885274.tif 000017
【図１６】
0003885274.tif 000018
【図１７】
0003885274.tif 000019
【図１８】
0003885274.tif 000020
【図１９】
0003885274.tif 000021
【図２０】
0003885274.tif 000022
【図２１】
0003885274.tif 000023
【図２２】
0003885274.tif 000024
【図２３】
0003885274.tif 000025
【図２４】
0003885274.tif 000026
【図２５】
0003885274.tif 000027
【図２６】
0003885274.tif 000028
【図２７】
0003885274.tif 000029
【図２８】
0003885274.tif 000030
【図２９】
0003885274.tif 000031
【図３０】
0003885274.tif 000032
【図３１】
0003885274.tif 000033
【図３２】
0003885274.tif 000034
【図３３】
0003885274.tif 000035
【図３４】
0003885274.tif 000036
【図３５】
0003885274.tif 000037
【図３６】
0003885274.tif 000038
【図３７】
0003885274.tif 000039
【図３８】
0003885274.tif 000040
【図３９】
0003885274.tif 000041
【図４０】
0003885274.tif 000042
【図４１】
0003885274.tif 000043
【図４２】
0003885274.tif 000044
【図４３】
0003885274.tif 000045
【図４４】
0003885274.tif 000046
【図４５】
0003885274.tif 000047
【図４６】
0003885274.tif 000048
【図４７】
0003885274.tif 000049
【図４８】
0003885274.tif 000050
【図４９】
0003885274.tif 000051
【図５０】
0003885274.tif 000052